(57)【要約】【課題】透過原稿を読み取る画像読取装置にフィルムやキャリアを挿入してレンズの焦点位置を調節するときに、あるコマ、あるいは全てのコマが全体的に明るく露光されているフィルムが挿入された場合や、キャリアの一部分、あるいは、キャリアの全てにスライドマウントやフィルムが装着されずに画像読取装置に挿入された場合に、焦点位置の調節動作が誤動作してピントの合っていない状態で画像を読み取ってしまうことを防止する。【解決手段】透過原稿を読み取る画像読取装置において、鮮鋭度の検出に適した原稿を判別し、鮮鋭度の検出を実行させるか否かを制御するように構成した。【選択図】　　　図３
2004061842.tif 000002
【特許請求の範囲】
【請求項１】
透過原稿を照射する照明手段と、
前記照明手段によって照射された前記透過原稿を撮像し、画像データを出力する撮像手段と、
前記照明手段によって照射され前記透過原稿を透過した光を前記撮像手段の位置に結像させる結像手段と、
前記撮像手段で撮像した前記透過原稿の画像の鮮鋭度を検出する鮮鋭度検出手段と、
前記撮像手段から出力された前記画像データの明るさを検出する明るさ検出手段と、
前記明るさ検出手段が検出した前記画像データの明るさを所定値と比較する比較手段と、
前記比較手段による比較の結果に基づき、前記鮮鋭度検出手段に前記透過原稿像の鮮鋭度の検出を実行させるか否かを判定する制御手段と、
を有することを特徴とする画像読取装置。
【請求項２】
前記明るさ検出手段は、前記画像データの平均値を算出し、前記比較手段は、前記画像データの平均値と前記所定値とを比較することを特徴とする請求項１の画像読取装置。
【請求項３】
透過原稿を照射する照明手段と、
前記照明手段によって照射された前記透過原稿を撮像し、画像データを出力する撮像手段と、
前記照明手段によって照射され前記透過原稿を透過した光を前記撮像手段の位置に結像させる結像手段と、
前記結像手段を所定の位置に固定した状態で前記撮像手段によって撮像した前記透過原稿の画像の鮮鋭度を検出する第１の鮮鋭度検出手段と、
前記撮像手段から出力された前記画像データの明るさを検出する明るさ検出手段と、
前記演算手段が演算した前記画像データの明るさを所定値と比較する比較手段と、
前記比較手段による比較の結果に基づき前記第１の鮮鋭度検出手段に前記透過原稿の画像の鮮鋭度の検出を実行させるか否かを判定する制御手段と、
を有することを特徴とする画像読取装置。
【請求項４】
前記比較手段による比較の結果、前記画像データの明るさが前記所定値以上である場合に、前記制御手段は、前記第１の鮮鋭度検出手段に前記透過原稿の画像の鮮鋭度の検出を実行させないことを特徴とする請求項３の画像読取装置。
【請求項５】
前記比較手段による比較の結果、前記画像データの明るさが前記所定値未満である場合に、前記制御手段は、前記第１の鮮鋭度検出手段に前記透過原稿の画像の鮮鋭度の検出を実行させることを特徴とする請求項３又は４のいずれかの画像読取装置。
【請求項６】
前記明るさ検出手段は、前記画像データの平均値を算出し、前記比較手段は、前記画像データの平均値と前記所定値とを比較することを特徴とする請求項３乃至５のいずれかの画像読取装置。
【請求項７】
さらに、前記結像手段を光軸方向に移動させながら前記撮像手段により撮像した前記透過原稿の画像の鮮鋭度を検出する第２の鮮鋭度検出手段と、前記結像手段の結像位置を調節する焦点調節手段とを有し、
前記制御手段は、前記第２の鮮鋭度検出手段により検出される前記透過原稿の鮮鋭度に基づいて、前記焦点調節手段に前記結像手段の結像位置を調節させることを特徴とする請求項３乃至６のいずれかの画像読取装置。
【請求項８】
さらに、前記第１の鮮鋭度検出手段により前記透過原稿の鮮鋭度を検出したか否かを判定する判定手段を有し、前記制御手段は、前記判定手段が前記第１の鮮鋭度検出手段により前記透過原稿の画像の鮮鋭度を検出したと判定した場合に、前記焦点調節手段に前記結像手段の結像位置を調節させることを特徴とする請求項３乃至７のいずれかの画像読取装置。
【請求項９】
前記制御手段は、前記第１の鮮鋭度検出手段により最も高い鮮鋭度が検出された透過原稿の画像に基づいて前記焦点調節手段に前記結像手段の結像位置を調節させることを特徴とする請求項８の画像読取装置。
【請求項１０】
前記制御手段は、前記判定手段が前記第１の鮮鋭度検出手段により前記透過原稿の画像の鮮鋭度を検出していないと判定した場合には、前記焦点調節手段に前記結像手段の結像位置を調節させずに、前記結像手段の結像位置を所定位置に固定することを特徴とする請求項８又は９の画像読取装置。
【請求項１１】
前記所定位置は、前記結像手段と前記撮像手段間の距離によって定まる結像位置でであることを特徴とする請求項１０の画像読取装置。
【請求項１２】
前記透過原稿は、写真フィルムを含むことを特徴とする請求項２乃至１１のいずれかの画像読取装置。
【請求項１３】
透過原稿を照射する照明手段と、前記照明手段によって照射された前記透過原稿を撮像し、画像データを出力する撮像手段と、
前記照明手段によって照射され前記透過原稿を透過した光を前記撮像手段の位置に結像させる結像手段と、
を備えた画像読取装置を制御するための制御プログラムであって、
前記撮像手段で撮像した前記透過原稿の画像の鮮鋭度を検出する鮮鋭度検出ステップと、
前記撮像手段から出力された前記画像データの明るさを検出する検出ステップと、
前記明るさ検出ステップで検出した前記画像データの明るさを所定値と比較し、比較の結果に基づき、前記鮮鋭度検出ステップを実行させるか否かを判定する判定ステップと、
を有することを特徴とする制御プログラム。
【請求項１４】
前記明るさ検出ステップは、前記画像データの平均値を算出し、前記比較手段は、前記画像データの平均値と前記所定値とを比較することを特徴とする請求項１３の制御プログラム。
【請求項１５】
透過原稿を照射する照明手段と、前記照明手段によって照射された前記透過原稿を撮像し、画像データを出力する撮像手段と、前記照明手段によって照射され前記透過原稿を透過した光を前記撮像手段の位置に結像させる結像手段と、を備えた画像読取装置を制御するための制御プログラムであって、
前記結像手段を所定の位置に固定した状態で前記撮像手段によって撮像した前記透過原稿の画像の鮮鋭度を検出する第１の鮮鋭度検出ステップと、
前記撮像手段から出力された前記画像データの明るさを検出する明るさ検出ステップと、
前記明るさ検出ステップで検出した前記画像データの明るさを所定値と比較し、
比較の結果に基づき、前記第１の鮮鋭度検出ステップを実行させるか否かを判定する第１の判定ステップと、
を有することを特徴とする制御プログラム。
【請求項１６】
前記第１の判定ステップにおける比較の結果、前記画像データの明るさが前記所定値以上である場合に、前記第１の鮮鋭度検出ステップを実行させないことを特徴とする請求項１５の制御プログラム。
【請求項１７】
前記第１の判定ステップにおける比較の結果、前記画像データの明るさが前記所定値未満である場合に、前記第１の鮮鋭度検出ステップを実行させることを特徴とする請求項１５又は１６のいずれかの制御プログラム。
【請求項１８】
前記明るさ検出ステップは、前記画像データの平均値を算出し、前記比較手段は、前記画像データの平均値と前記所定値とを比較することを特徴とする請求項１５乃至１７のいずれかの制御プログラム。
【請求項１９】
さらに、前記結像手段を光軸方向に移動させながら前記撮像手段により撮像した前記透過原稿の画像の鮮鋭度を検出する第２の鮮鋭度検出ステップと、前記結像手段の結像位置を調節する焦点調節ステップを有し、
前記焦点調節ステップでは、前記第２の鮮鋭度検出ステップにおいて検出される鮮鋭度に基づいて、前記結像手段の結像位置を調節することを特徴とする請求項１３乃至１８のいずれかの制御プログラム。
【請求項２０】
さらに、前記第１の鮮鋭度検出ステップを実行したか否かを判定する第２の判定ステップを有し、前記第２の判定ステップで前記第１の鮮鋭度検出ステップを実行したと判定した場合に、前記焦点調節ステップにおいて前記結像手段の結像位置を調節することを特徴とする請求項１３乃至１９のいずれかの制御プログラム。
【請求項２１】
前記第１の鮮鋭度検出ステップにおいて最も高い鮮鋭度が検出された透過原稿の画像に基づいて前記焦点調節ステップにおける前記結像手段の結像位置を調節することを特徴とする請求項１９の制御プログラム。
【請求項２２】
前記第２の判定ステップにおいて前記第１の鮮鋭度検出ステップを実行していないと判定した場合には、前記焦点調節ステップにおいて前記結像手段の結像位置を調節せずに、前記結像手段の結像位置を所定位置に固定することを特徴とする請求項１９又は２０の制御プログラム。
【請求項２３】
前記所定位置は、前記結像手段と前記撮像手段間の距離によって定まる結像位置であることを特徴とする請求項２１の制御プログラム。
【請求項２４】
前記透過原稿は、写真フィルムを含むことを特徴とする請求項１５乃至２３のいずれかの制御プログラム。
【発明の詳細な説明】
【０００１】
【発明の属する技術分野】
本発明は、光源を用いて透過原稿に照射した透過光を撮像して透過原稿像を読み取る画像読取装置に関する。
【０００２】
【従来の技術】
従来、フィルムなどの透過原稿の画像を読み取る画像読取装置では、フィルムと撮像素子を相対移動させながら、フィルムに光源を照射して得られる透過光または反射光を撮像素子で撮像することにより画像を読み取る構成となっている。
【０００３】
このような画像読取装置では、フィルムを装置に装着する方式としてフィルムストリップをそのまま挿入して装着する方式や、フィルムストリップを専用のキャリアに装着してキャリアを画像読取装置に挿入して装着する方式がある。また、スライドマウントを読み取り可能な画像読取装置では、スライドマウントを専用のキャリアに装着してキャリアを画像読取装置に挿入して装着する方式をとるのが一般的である。
【０００４】
画像の読み取り機構の構成では、フィルム画像を所定の解像度で読み取るため、所定の倍率を有する光学系レンズがフィルムと撮像素子の間に設けられる。このレンズにはフィルム画像を撮像素子ＣＣＤに結像させるための焦点調節機構が備えられる。焦点調節機構は、フィルムとＣＣＤを結ぶ光軸に沿ってレンズを移動可能に構成されており、フィルム画像が撮像素子にピントの合った状態で結像するようにレンズを移動させて焦点位置を調節する。
【０００５】
しかし、例えばスキャナを構成している各個体の製造誤差や、フィルム通路、レンズ・ＣＣＤを組み立てた時の誤差などの要因で、実際の焦点位置は、設計上決まる構造上の焦点位置との若干誤差が生じてしまう。
【０００６】
また、フィルムなどは、乾燥するとカールが発生してしまうため、フィルム面とＣＣＤ間の距離が若干変動するため、同様に、実際の焦点位置が、構造上の焦点位置とは、若干異なってしまう。
【０００７】
そこで、ピントが合っているか否かの判別を、ＣＣＤで撮像した画像のコントラストを検出することによって行なう。レンズを移動させながら、装着されたフィルムの所定のコマをＣＣＤで撮像する。そして、撮像されたフィルム画像のコントラストを連続的に検出し、コントラストが最も高くなるレンズの位置を求めて、同位置にレンズを移動させることにより、レンズの位置が焦点の合った状態に調節される。従って、コントラストの大きなコマで焦点位置の調節を行なうことにより、より正確なピンとの合った状態でフィルム画像を読み取ることが出来る。
【０００８】
【発明が解決しようとする課題】
しかしながら、上述した画像読取装置では、装着されたフィルム画像のコントラストを検出することによってレンズの焦点調節を行なうため、例えばリバーサルフィルムでコマ全体が明るく露光されてほとんど透明に近いような、コントラストがほとんどない画像の場合は、コントラストの最も高い位置がフィルム面ではなくフィルムに光を照射している光源部としてなってしまうためレンズの焦点位置が誤った位置に調節されてしまい、正しいフィルム画像が読み取れないという問題がある。また、スライドマウントを読み取るためのキャリアの一部のコマにスライドマウントを装着しなかった場合にも同様にそのコマで焦点調節が正常に行なうことができないため、ピントが合っていない状態でフィルム画像を読み取ってしまい、画像の品質が損なわれるという欠点がある。
【０００９】
本発明は、以上のような局面に鑑みてなされたもので、それぞれ下記各項の各課題を解決するための各手段の提供を目的としている。すなわち、本発明の目的は、画像読取装置にフィルムやキャリアを挿入してレンズの焦点位置を調節するときに、あるコマ、あるいは全てのコマが全体的に明るく露光されているフィルムが挿入された場合や、キャリアの一部分、あるいは、キャリアの全てにスライドマウントやフィルムが装着されずに画像読取装置に挿入された場合に、焦点位置の調節動作が誤動作してピントの合っていない状態で画像を読み取ってしまうことを防止することにある。
【００１０】
【課題を解決するための手段】
このため、本発明は、上記の各目的に対してそれぞれ下記の対応項（１）から（４）に示す構成の画像読取装置、あるいは画像読取装置の制御プログラムの提供によりそれぞれ前記の各目的を達成しようとするものである。
【００１１】
（１）透過原稿を照射する照明手段と、前記照明手段によって照射された前記透過原稿を撮像し、画像データを出力する撮像手段と、前記照明手段によって照射され前記透過原稿を透過した光を前記撮像手段の位置に結像させる結像手段と、前記撮像手段で撮像した前記透過原稿の画像の鮮鋭度を検出する鮮鋭度検出手段と、前記撮像手段から出力された前記画像データの明るさを検出する明るさ検出手段と、前記明るさ検出手段が検出した前記画像データの明るさを所定値と比較する比較手段と、前記比較手段による比較の結果に基づき、前記鮮鋭度検出手段に前記透過原稿像の鮮鋭度の検出を実行させるか否かを判定する制御手段と、を有することを特徴とする画像読取装置。
【００１２】
（２）透過原稿を照射する照明手段と、前記照明手段によって照射された前記透過原稿を撮像し、画像データを出力する撮像手段と、前記照明手段によって照射され前記透過原稿を透過した光を前記撮像手段の位置に結像させる結像手段と、前記結像手段を所定の位置に固定した状態で前記撮像手段によって撮像した前記透過原稿の画像の鮮鋭度を検出する第１の鮮鋭度検出手段と、前記撮像手段から出力された前記画像データの明るさを検出する明るさ検出手段と、前記演算手段が演算した前記画像データの明るさを所定値と比較する比較手段と、前記比較手段による比較の結果に基づき前記第１の鮮鋭度検出手段に前記透過原稿の画像の鮮鋭度の検出を実行させるか否かを判定する制御手段と、を有することを特徴とする画像読取装置。
【００１３】
（３）透過原稿を照射する照明手段と、前記照明手段によって照射された前記透過原稿を撮像し、画像データを出力する撮像手段と、
前記照明手段によって照射され前記透過原稿を透過した光を前記撮像手段の位置に結像させる結像手段と、を備えた画像読取装置を制御するための制御プログラムであって、前記撮像手段で撮像した前記透過原稿の画像の鮮鋭度を検出する鮮鋭度検出ステップと、前記撮像手段から出力された前記画像データの明るさを検出する検出ステップと、前記明るさ検出ステップで検出した前記画像データの明るさを所定値と比較し、比較の結果に基づき、前記鮮鋭度検出ステップを実行させるか否かを判定する判定ステップと、を有することを特徴とする制御プログラム。
【００１４】
（４）透過原稿を照射する照明手段と、前記照明手段によって照射された前記透過原稿を撮像し、画像データを出力する撮像手段と、前記照明手段によって照射され前記透過原稿を透過した光を前記撮像手段の位置に結像させる結像手段と、を備えた画像読取装置を制御するための制御プログラムであって、
前記結像手段を所定の位置に固定した状態で前記撮像手段によって撮像した前記透過原稿の画像の鮮鋭度を検出する第１の鮮鋭度検出ステップと、前記撮像手段から出力された前記画像データの明るさを検出する明るさ検出ステップと、前記明るさ検出ステップで検出した前記画像データの明るさを所定値と比較し、比較の結果に基づき、前記第１の鮮鋭度検出ステップを実行させるか否かを判定する第１の判定ステップと、を有することを特徴とする制御プログラム。
【００１５】
【発明の実施の形態】
以下に、本発明の実施の形態を、複数の実施例に基づきそれぞれ図面を参照して詳細に説明する。
【００１６】
【実施例】
（第１の実施例）
図１は、本発明実施例の画像読取装置の構成を示す斜視図である。同図において、１は画像読取装置であり、フィルムの画像を読み取ることができる。２はフィルム挿入口で、スライドマウント４を装着したキャリア３を挿入する。本図ではキャリア３を挿入する場合を示しているが、フィルムストリップをそのまま挿入することもできる。
【００１７】
図２は、キャリア３の給送及び画像の読み取りに関するブロック図である。同図において、５はランプ、６はインバータ、７はレンズ、８は焦点調節モータ、９は光軸、１０はＣＣＤ、１１は信号処理回路、１２はフィルム給送ローラ、１３はローラ駆動モータ、１４はマイコン、１５はメモリである。
【００１８】
キャリア３の給送制御、画像読み取りなどの全ての制御はマイコン１４が行なう。給送制御に関しては、ローラ駆動モータ１３を駆動することによってフィルム給送ローラ１２を回転させ、キャリア３の給送を行なう。画像読み取りに関しては、ランプ５によりキャリア３に装着されたスライドマウント４に照射された透過光をレンズ７を介してＣＣＤ１０で撮像し、信号処理回路１１で信号処理を行なったのちメモリ１５に蓄えられる。メモリ１５に蓄えられた画像データは、不図示のパーソナルコンピュータやプリンタなどに転送されて利用される。ランプ５の光量は、インバータ６により最適な光量に調節される。レンズ７は光軸９に沿った方向に移動可能となっており、焦点調節モータ８を駆動することによって移動させて、スライドマウント４の画像がピントの合った状態でＣＣＤ１０に結像するように焦点を調節する。
【００１９】
図３は、本発明第１の実施例の動作を示すフローチャートである。図３のフローチャートに表されるプログラムＰ１は、図２のメモリ１５に内蔵され、マイコン１４はプログラムＰ１のフローに従って制御動作を実行する。
【００２０】
図３のフローは、キャリア３を画像読取装置に挿入したときにレンズ７の焦点位置を調節する処理を示している。フィルムストリップのうちのあるコマが全体的に明るく露光されている場合、あるいは、キャリアの一部分にスライドマウントが装着されていない場合における焦点位置を調節する制御処理である。
【００２１】
以下に、プログラムフローの各ステップに沿って説明する。
【００２２】
ステップ１０１（図ではＳ１０１と記す、以下同様）：キャリア３が挿入されると、ランプ５を点灯する。ランプの光量はマイコン１４からインバータ６に光量制御指示をすることにより設定される。
【００２３】
ステップ１０２：レンズ７を、所定の位置に移動させる。この位置は、スライドマウント４とＣＣＤ１０間の距離とレンズ７によって定まる画像読取装置の構造上の焦点位置である。この構造上の焦点位置は、例えば、画像読取装置の設計上決められる焦点位置で、フラッシュＲＯＭ等の不揮発性メモリにあらかじめ初期値として記憶しておき、所定の位置へ移動する場合にこの初期値を読み出すようにする。また、焦点位置は、ここでは、設計上決められる焦点位置を用いているが、画像読取装置本体を組み立てる際に、適当なコントラストの大きいコマを写したフィルム画像であらかじめ焦点位置の調節を行なった時に、検出した焦点位置をＥＥＰＲＯＭ等の不揮発性メモリ等に記憶しておいてもよい。
【００２４】
ステップ１０３：ローラ駆動モータ１３を駆動させてフィルム給送ローラ１２を回転させることにより、１コマ目の画像が読み取れる位置にキャリア３を移動させる。
【００２５】
ステップ１０４：ランプ５からの光によってスライドマウント４に照射された透過光をＣＣＤ１０で撮像することにより、画像を読み取る。読み取った画像信号は、信号処理回路１１で画像データＤに変換され、メモリ１５に格納される。
【００２６】
ステップ１０５：マイコン１４において、メモリ１５に格納された画像データＤの全画素の平均値を計算する。ここでは、読み取った画像の明るさを算出するために画像データの画素の平均値を用いたが、他に画像の輝度レベルやヒストグラムを用いても良い。また、画像データＤの全画素の平均値を算出したが、１コマの画像の一部分、例えば中央部等の平均値を算出してもよい。
【００２７】
ステップ１０６：ステップ１０５で得られた画像データＤの全画素の平均値を所定値と比較し、鮮鋭度の検出をするか否かを判定する。所定値以上であればステップ１０８に進み、所定値未満であればステップ１０７に進む。ここで、所定値は、メモリ１５に格納されており、例えば、キャリアにスライドマウントが装着されているか否かを判別でき、且つコントラストによる鮮鋭度の検出ができるような値で、例えば、非装着時が最大電圧となるので、８ｂｉｔＡＤ変換をした値が２５５である場合、フィルムの光の最大透過率を８０％とすると、さらにコマの全体が明るく露光されている場合を、仮に最大透過率の７５％とすると２０４×８０％×７５％＝１５３となり、この１５３がこの場合の所定値となる。
【００２８】
ステップ１０７：ステップ１０４で読み取った画像データＤから、鮮鋭度を計算する。鮮鋭度は、例えば、読み取った画像の隣接画素の差分の２乗をＣＣＤの全画素にわたって加算することによって求められる。コントラストの大きい画像ほど大きい値をとる。
【００２９】
ステップ１０８：ステップ１０４で読み取った画像が最終コマの場合はステップ１１０に進み、次のコマが存在する場合はステップ１０９に進む。
【００３０】
ステップ１０９：キャリア３を次のコマに移動させたあと、ステップ１０４に戻る。
【００３１】
ステップ１１０：ステップ１０７で計算した画像データＤの鮮鋭度を各コマごとに比較し、最も鮮鋭度の高いコマにキャリア３を移動させる。
【００３２】
ステップ１１１：ステップ１１０で移動したコマの画像で焦点調節を行なう。焦点調節は、焦点調節モータ８を駆動することによりレンズ７を光軸９に沿って移動させながら連続的に画像の鮮鋭度を計算し、鮮鋭度が最も高くなる位置にレンズ７を移動させる。以上で焦点位置の調節処理を終了する。
【００３３】
以後、引き続き不図示の画像読み取り処理を行なう。
【００３４】
上記の動作フローでは、各コマごとに画像を読み取ってその画像データの全画素の平均値を計算し、平均値が所定値以下の場合のみ画像の鮮鋭度を計算している。そして、全コマの画像の読み取り終了後、鮮鋭度の最も高いコマで焦点調節を行なっている。
【００３５】
このように、キャリアのあるコマにスライドマウントが装着されなかった場合や、コマ全体が明るく露光されてほとんどコントラストのないスライドマウントが装着された場合に、そのコマの画像データＤの平均値が所定値より大きくなるため、鮮鋭度の計算と焦点調節を行なわないようになる。
【００３６】
すなわち、コントラストによる焦点調節を正常に行なうことができるコマでのみ画像の鮮鋭度を計算して精度の高い焦点調節をすることが可能になる。
【００３７】
（第２の実施例）
次に、全てのコマが明るく露光している場合、あるいは全てのコマにマウントあるいはフィルムが装着されていない場合について説明する。
【００３８】
本発明の実施例では、スライドマウントやフィルムが装着されているか否かの検出は、読み取ったＣＣＤの画素値から判断しているため、検出に失敗することがある。そのため、全てのコマにスライドマウントやフィルムが装着されていないと判断した場合であっても、画像を読み取るようにしている。
【００３９】
図４は、本発明第２の実施例の動作を示すフローチャートである。図４のフローチャートに表されるプログラムＰ２は、図２のメモリ１５に内蔵され、マイコン１４はプログラムＰ２のフローに従って制御動作を実行する。
【００４０】
図４のフローは、第１の実施例と同じく、キャリア３を画像読取装置に挿入したときにレンズ７の焦点位置を調節する処理を示している。なお、図４のフローチャートでは第１の実施例に対してステップ２０１，２０２が追加されている点のみ異なるので、同ステップについてのみ説明する。
【００４１】
ステップ２０１：キャリア３の全てのコマの中で、ステップ１０７で鮮鋭度を計算したコマがあるか否かを判別し、鮮鋭度を計算したコマが少なくとも１つ以上ある場合はステップ１１０に進み、全てのコマにおいて、各画像データの平均値が所定値より上回り、鮮鋭度の計算が行なわれなかった場合はステップ２０２に進む。
【００４２】
ステップ２０２：マイコン１４からの指示によって焦点調節モータ８を駆動することにより、レンズ７をあらかじめ定められた位置に移動させる。この位置は、ステップ１０２と同様にＣＣＤ１０とレンズ７の距離によって定まる画像読取装置の構造上の焦点位置である。
以上で焦点位置の調節処理を終了する。以後、引き続き不図示の画像読み取り処理を行なう。
【００４３】
上記の動作フローでは、全コマで画像データの平均値が所定値より大きいかどうかを判別し、全てのコマにおいて大きい場合は焦点調節をせずにレンズ７を所定の位置に移動させるようにしている。
【００４４】
このように、キャリアの全てのコマにスライドマウントが装着されないか、またはコマ全体が明るく露光されてほとんどコントラストのないスライドマウントが装着された場合には、鮮鋭度の計算と焦点調節は行なわずに、レンズ７を所定の焦点位置に移動させる。この焦点位置は、ＣＣＤ１０とレンズ７の間の距離によって定まる画像読取装置の構造上の焦点位置であるため、全て鮮鋭度の検出を正常に行なうことが出来ない画像であっても、全てのコマに対してほぼピントの合った状態で画像を読み取ることが可能になる。なお、以上の実施例では画像読取装置にキャリアを挿入した場合についての説明を行なったが、フィルムストリップを直接挿入した場合の動作に関しても同様に適用できることは言うまでもない。
【００４５】
【発明の効果】
以上説明したように、本発明によれば、透過原稿を読み取る画像読取装置において、鮮鋭度の検出に適した原稿を判別し、鮮鋭度の検出を実行させるか否かを制御するようにしたので、鮮鋭度の誤検出を防止できる。
【００４６】
また、鮮鋭度の検出に適さない原稿をあらかじめ判別し、鮮鋭度の検出を実行させないように制御するので、読取速度を短縮できる。
【図面の簡単な説明】
【図１】第１〜２実施例の画像読取装置の構成説明斜視図
【図２】第１〜２実施例のキャリアの給送及び画像の読み取りに関するブロック図
【図３】第１実施例の動作を示すフローチャート
【図４】第２実施例の動作を示すフローチャート
【符号の説明】
１　画像読取装置
２　フィルム挿入口
３　キャリア
４　スライドマウント
５　ランプ
６　インバータ
７　レンズ
８　焦点調節モータ
９　光軸
１０　ＣＣＤ
１１　信号処理回路
１２　フィルム給送ローラ
１３　ローラ駆動モータ
１４　マイコン
１５　メモリ
【図１】
2004061842.tif 000003
【図２】
2004061842.tif 000004
【図３】
2004061842.tif 000005
【図４】
2004061842.tif 000006